(57)【要約】      （修正有）【課題】スイングの欠点が明確になり、スイング軌道の修正ができるうえ、持ち運びに便利な携帯性を備えたゴルフスイング矯正用具を提供する。【解決手段】２本のシャフト２と、シャフトを所定間隔に維持する２本の端部支持部材３と、中間支持部材４と、シャフトと端部支持部材とを所定状態に保持固定する端部保持部材５と、シャフトと中間支持部材とを所定状態に保持固定する中間保持部材６と、シャフトの一端に取り付けられたグリップ７とを備える。シャフトは中空部材からなると共に、平行に配置された保持部材８に平行に保持されてなる。【選択図】図１
0003191934.tif 000002
【実用新案登録請求の範囲】
【請求項１】
２本のシャフトと、該シャフトを端部で所定間隔に維持する端部支持部材と、前記シャフトを中間部で所定間隔に維持する中間支持部材と、前記シャフトと前記端部支持部材とを所定状態に保持固定する端部保持部材と、前記シャフトと前記中間支持部材とを所定状態に保持固定する中間保持部材と、前記シャフトの一端に取り付けられたグリップとを備えたゴルフスイング矯正用具であって、
前記シャフトは平行に配置された保持部材に平行に保持されてなることを特徴とするゴルフスイング矯正用具。
【請求項２】
平行に配置した前記２本の中空部材からなるシャフトは、該シャフトに直交して端部保持部材により前記端部支持部材に保持固定されると共に、前記中間保持部材により前記中間支持部材に保持固定されることにより平行に維持され、前記２本のシャフトの全長をグリップエンドからそれぞれ７００〜８５０ｍｍとし、前記２本の前記シャフトの間隔を２００〜２７０ｍｍとしたことを特徴とする請求項１に記載のゴルフスイング矯正用具。
【請求項３】
前記シャフト及び前記支持部材の交叉角を狭めて、前記２本のシャフト及び支持部材の間隔を狭めることにより、用具全体の幅を狭めて携帯時に嵩ばらないように、前記シャフト及び支持部材を保持部材で固定可能にしたことを特徴とする請求項１または２に記載のゴルフスイング矯正用具。
【請求項４】
前記シャフト及び前記支持部材は、それぞれを板状材のみまたは板状材をＬ，Ｃ、コ字状や３角、４角、６角、８角等のような多角形状に形成した棒状材で形成したことを特徴とする請求項１または３に記載のゴルフスイング矯正用具。
【考案の詳細な説明】
【技術分野】
【０００１】  本考案は、ゴルフスイングの欠点を明確にでき、腕や身体を正常な動きに修正できる、ゴルフスイング矯正用具に関するものである。
【背景技術】
【０００２】  ゴルフスイングの軌道を確認し矯正するための練習用具としては、長方形の敷材の中央に長手方向に白線を引いたり、棒状ガイドを平行に複数本配置したりした、敷材方式のものがある。そして、これらの練習用具では、白線やガイドに沿ってボールを打つ練習を行うのが一般的である。【０００３】  また、スイング練習用具としては、グリップを２本に枝分かれさせたゴルフ練習用具がある（例えば、特許文献１参照）。このゴルフ練習用具は、ゴルフクラブのシャフトを２本に分け、それぞれにグリップを装着している。そして、グリップを左右片手ずつで持って身体の使い方、腕の使い方を矯正することができるのである。
【先行技術文献】
【特許文献】
【０００４】
【特許文献１】特開２００４−２４９０４９号公報
【考案の概要】
【考案が解決しようとする課題】
【０００５】  従来の敷材による練習用具は、飛球線方向に平行な白線やレールが存在するだけなので、スイング軌道について確認を行うことが可能であるが、スイング時の目安とはなっても、クラブヘッドがどのような軌道を通っているのかをプレイヤー自身が確認し矯正することはできない。【０００６】  また、特許文献１のゴルフ練習用具にあっては、グリップを２本に枝分かれしただけで、簡単な構造であるが、バランスがやや悪く、スイング軌道の矯正を身体に習慣づけるには十分とは言い難く、折り畳めず、携帯に不便である。【０００７】  そこで本考案は、スイングの欠点が明確になり、スイング軌道の修正ができ、正しいスイングの感覚を習得できるうえ、持ち運びに便利な携帯性を備えたゴルフスイング矯正用具を提供することを目的とする。
【課題を解決するための手段】
【０００８】  上記の目的を達成するために請求項１に係る考案のゴルフスイング矯正用具は、
２本のシャフトと、該シャフトを端部で所定間隔に維持する端部支持部材と、前記シャフトを中間部で所定間隔に維持する中間支持部材と、前記シャフトと前記端部支持部材とを所定状態に保持固定する端部保持部材と、前記シャフトと前記中間支持部材とを所定状態に保持固定する中間保持部材と、前記シャフトの一端に取り付けられたグリップとを備えたゴルフスイング矯正用具であって、前記シャフトは平行に配置された保持部材に平行に保持されてなることを特徴とする。【０００９】  請求項２に係る考案は、請求項１に記載の考案において、
平行に配置した前記２本の中空部材からなるシャフトは、該シャフトに直交して端部保持部材により前記端部支持部材に保持固定されると共に、前記中間保持部材により前記中間支持部材に保持固定されることにより平行に維持され、前記２本のシャフトの全長をグリップエンドからそれぞれ７００〜８５０ｍｍとし、前記２本の前記シャフトの間隔を２００〜２７０ｍｍとしたことを特徴とする。【００１０】  請求項３に係る考案は、請求項１または２に記載の考案において、
前記シャフト及び前記支持部材の交叉角を狭めて、前記２本のシャフト及び支持部材の間隔を狭めることにより、用具全体の幅を狭めて携帯時に嵩ばらないように、前記シャフト及び支持部材を保持部材で固定可能にしたことを特徴とする。【００１１】  請求項４に係る考案は、請求項１または３に記載の考案において、
前記シャフト及び前記支持部材は、それぞれを板状材のみまたは板状材をＬ，Ｃ、コ字状や３角、４角、６角、８角等のような多角形状に形成した棒状材で形成したことを特徴とする。
【考案の効果】
【００１２】  本考案によれば、プレイヤーは、グリップを握り、ボールがシャフト間の中央にくるようにアドレスしたのちバックスイングを開始し、腕や身体を正常な動作をさせる。これによって、用具の形状によりスイング中の両手幅が変わらない。その結果、両手のバランスが良くなり、スイング全体の軌道とバランスを一定にすることができるので、スイング全体の軌道を矯正することができる。また、本考案は、携帯性に優れているため、ゴルフ練習場にも手軽に持参することができ、狭いスペースでも使用可能で、ゴルフコースでのラウンド前にも正常な動作を確認、矯正することができる。また、安価に製作することができる。
【図面の簡単な説明】
【００１３】
【図１】本考案の実施の形態に係るゴルフスイング矯正用具を示す正面図である。
【図２】図１のＡ−Ａ線断面図である。
【図３】本考案のゴルフスイング矯正用具の他の例を示す正面図である。
【図４】図３のＢ−Ｂ線断面図である。
【図５】図３のゴルフスイング矯正用具を折り畳んだ状態を示す正面図である。
【考案を実施するための形態】
【００１４】  図１及び図２を参照しつつ、本考案に係るゴルフスイング矯正用具について詳細に説明する。図１は、本考案の実施形態に係るゴルフスイング矯正用具の構成を示し、図２は、図１のＡ−Ａ線断面図である。
【００１５】  本考案のゴルフスイング矯正用具１は、２本のシャフト２と、シャフト２を所定間隔に維持する端部支持部材３と、中間支持部材４と、前記シャフト２と前記端部支持部材３とを所定状態に保持固定する端部保持部材５と、前記シャフト２と前記中間支持部材４とを所定状態に保持固定する中間保持部材６と、前記シャフト２の一端に取り付けられたグリップ７とを備えている。
【００１６】  シャフト２は、円筒状の中空の棒からなり、その一端にグリップ７を取り付け、他端で端部支持部材３と連結し、中間で中間支持部材４と連結する。そのため、シャフト２の他端部に、端部保持部材４に螺合する雄ねじが螺設されている。シャフト２の材質としてしては、金属またはプラスチックが用いられる。シャフト２の長さは、グリップエンド７の端から他端の先端まで７００〜８５０ｍｍとしている。そして、２本の前記シャフトの間隔を２００〜２７０ｍｍとしている。シャフト２は、その太さを一端で直径１５ｍｍ、他端で１０ｍｍとしたテーパー管としてもよい。
【００１７】締結
端部支持部材３は、円筒状の中空の棒からなり、その端でそれぞれシャフト２を所定間隔に保持固定する。そのために、両端にそれぞれ端部保持部材５を固着している。この実施の形態では、端部支持部材３の両端に雄ねじを設け、端部保持部材５の雌ねじに螺合し、さらに、端部保持部材５の他方の雌ねじにシャフト２端を螺合することにより、シャフト２を保持固定している。
【００１８】  中間支持部材４は、円筒状の中空の棒からなり、その端でそれぞれシャフト２を保持固定する。そのために、両端にそれぞれ中間保持部材６を固着できるようにしている。この実施の形態では、中間支持部材４の両端に雄ねじを設け、中間保持部材６の雌ねじに螺合し、さらに、中間保持部材６にシャフト２を固定するためのビス、ボルト等の係止部材８を設けるようにしている。中間保持部材６を係止部材８でシャフト２に固定することにより、シャフト２と中間支持部材４を保持固定している。端部支持部材３、中間支持部材４の材質としては、金属またはプラスチックが用いられる。端部支持部材３と中間支持部材４の間隔は、４５０〜５５０ｍｍ程度でよい。
【００１９】  端部保持部材５は、エルボ等のＬ字状の中空部材で、その両開口部には雌ねじが螺設され、それぞれの雌ねじに端部支持部材４及びシャフト２のそれぞれの雄ねじを螺合することにより、シャフト２を端部支持部材４に保持固定する。
【００２０】  中間保持部材６は、チーズ等のＴ字状の中空部材で、その突出部には雌ねじが螺設され、直線方向の開口は連通した空間が形成されている。中間保持部材６の雌ねじに中間支持部材４の雄ねじを螺合することにより、中間支持部材４に中間保持部材６を保持固定する。そして、中間保持部材６の直線方向の開口の内部をシャフト２を挿通する。また、内部を挿通したシャフト２を係止するボルト等の係止部材８を中間保持部材６に設けている。この実施の形態では、中間保持部材６にねじ孔を螺設し、このねじ孔にボルトや丸皿ねじなどの中間の係止部材８のねじを螺合している。そして、この係止部材８を進退させることで、シャフト２及び中間保持部材６を固定したり、ゆるめたりするようにしている。
【００２１】  グリップ７の太さ、材質はプレイヤーの手の大きさ、好みに合わせればよいが、材質としては、プラスチック、ゴムが使用される。長さは、おおよそ２５０〜３００ｍｍ程度である。
【００２２】  上記のように構成してなるゴルフスイング矯正用具の使用方法について説明する。
【００２３】  まず、組み立ては、端部支持部材３の両端に端部保持部材５をねじ込んで取り付け、中間支持部材４の両端に中間保持部材６をねじ込んで取り付ける。このとき、端部保持部材５と中間保持部材６のシャフト２中心の取り付け位置を合わせる。次いで、中間保持部材６の開口にシャフト２を通して、シャフト２先端部のねじを端部保持部材５の雌ねじにねじ込んで固着する。次いで、中間保持部材６の係止部材で中間保持部材６をシャフト２に固定する。このように、簡単に組み立てることができる。
【００２４】  本考案のゴルフスイング矯正用具により、スイングを行えば、スイングの欠点が明確になる。そこで、この欠点を無くすようにスイングすることで、腕や身体の正常な動きを体得させることができる。本考案のゴルフスイング矯正用具は、簡単な構造で、分解することで持ち運びが便利なように小形にできる。
【００２５】  なお、本考案のゴルフスイング矯正用具は、上記の実施の形態に限られるものではない。例えば、シャフト２と端部保持部材５の固定、端部支持部材３と端部保持部材５との固定および中間支持部材４と中間保持部材６との固定はねじ部をねじ込んで行う構成としている。これらの取り付け固定を、端部保持部材５および中間保持部材６に進退自在にねじを設け、そのねじを中心方向に進出退出させて、取り付け固定するようにしてもよい。
【００２６】  また、本考案のゴルフスイング矯正用具を図３〜図５に示すように、構成しても良い。この図３〜図５に示すゴルフスイング矯正用具において、上記のゴルフスイング矯正用具と同様な作用するものにつては同一符号を付して詳細な説明は省略する。
【００２７】  シャフト２および端部支持部材３、中間支持部材４のそれぞれの固定位置にボルトなどの係止部材８を挿通する孔を設け、その孔に係止部材８を通して、端から締め付けて固定する。
【００２８】  このゴルフスイング矯正用具は、運搬するために、図５に示すように、たたむときは係止部材８の締め付けをゆるめ、係止部材８の軸を中心に回動させて、シャフト２および支持部材を平行に近くすればよい。このように構成すれば、上記実施の形態に比べても、端部保持部材および中間保持部材を使わないので、さらに構造が簡単になり、安価にできる。
【００２９】  なお、この例においては、図４に示すように、シャフト２および端部支持部材３、中間支持部材４を円筒で構成している。これらを円筒で構成するのでなく、板状部材で構成してもよい。板状部材で構成すれば、さらに安価に小形にできる。
【００３０】  さらに、シャフト２および端部支持部材３、中間支持部材４のそれぞれを板状材のみまたは板状材をＬ，Ｃ、コ字状や３角、４角、６角、８角等のような多角形状に形成した棒状材で形成したものでも良い。また、材質のプラスチックとしては、プラスチック単体のみでなく、グラスファイバーやカーボンファイバーで強化したものでもよい。
【符号の説明】
【００３１】１    ゴルフスイング矯正用具
２    シャフト
３    端部支持部材
４    中間支持部材
５    端部保持部材
６    中間保持部材
７    グリップ
８    係止部材
【図１】
0003191934.tif 000003
【図２】
0003191934.tif 000004
【図３】
0003191934.tif 000005
【図４】
0003191934.tif 000006
【図５】
0003191934.tif 000007
【手続補正書】
【提出日】平成26年3月18日(2014.3.18)
【手続補正１】
【補正対象書類名】実用新案登録請求の範囲
【補正対象項目名】請求項３
【補正方法】変更
【補正の内容】
【請求項３】
前記シャフト及び前記支持部材を係止部材で固定し、固定した前記係止部材をゆるめることにより、前記シャフト及び前記支持部材の交叉角を狭めて、前記２本のシャフト及び支持部材の間隔を狭めることにより、用具全体の幅を狭めて携帯時に嵩ばらないようにしたことを特徴とする請求項１または２に記載のゴルフスイング矯正用具。